(57)【要約】【課題】浴室を殺菌、浄化する。【解決手段】殺菌水生成装置（10）は、処理槽（11）内に殺菌水を生成する。この殺菌水は、殺菌水供給通路（98）を経てミストノズル（60a）から浴室にミスト状に噴霧供給される。殺菌水は浴室に広がって、浴室の壁面や天井を殺菌、浄化する。【選択図】図２
2015188633.tif 000002
【特許請求の範囲】
【請求項１】
殺菌水を生成する殺菌水生成手段（10）と、
浴室（55）の浄化の要求時に、上記殺菌水生成手段（10）で生成した殺菌水を上記浴室（55）に供給する殺菌水供給手段（98）とを備えた
ことを特徴とする浴室殺菌装置。
【請求項２】
請求項１において、
上記殺菌水生成手段（10）は、
水槽（11）内に配置された一対の電極（31,32）と、
上記一対の電極（31,32）間に電圧を印可する電源（33）と、
上記一対の電極（31,32）間に配置され、上記一対の電極（31,32）間の電流経路を構成して放電を生起させる貫通孔（35）を有する絶縁性の仕切板（15）とを備え、
上記貫通孔（35）における放電によって殺菌因子を発生させて、上記水槽（11）内に殺菌水を生成する
ことを特徴とする浴室殺菌装置。
【請求項３】
請求項２において、
上記浴室（55）に水をミスト状にして噴射する噴射手段（60a）と、
水を上記噴射手段（60a）に供給する水供給手段（60）とを備え、
上記殺菌水供給手段（98）は、
上記水供給手段（60）から噴射手段（60a）への水の供給経路を遮断して、上記殺菌水生成手段（10）で生成した殺菌水を上記噴射手段（60a）から上記浴室（55）に供給すると共に、
該殺菌水供給手段（98）から噴射手段（60a）への殺菌水の供給経路（89）に配置された絶縁性の開閉手段（102）を有する
ことを特徴とする浴室殺菌装置。
【発明の詳細な説明】
【技術分野】
【０００１】
本発明は、浴室殺菌装置に関する。
【背景技術】
【０００２】
従来、浴室装置として、浴室の上壁面にミストノズルを配置して、湯水をミスト状にして温風と共に浴室に噴霧することにより、入浴者に発汗作用を促して、健康増進を図る、いわゆるミストサウナが知られている。
【０００３】
また、従来、水中で放電を生起させて殺菌因子を生成する水処理装置が知られている。例えば特許文献１には、この種の水処理装置が開示されている。特許文献１の水処理装置は、タンクに貯留された加湿用の水を浄化する。つまり、この水処理装置は、タンクに貯留された水の中で放電を生起させ、その放電によって生じた水酸ラジカル等の殺菌因子を利用して、タンク内の水を殺菌する。
【先行技術文献】
【特許文献】
【０００４】
【特許文献１】特開２０１１−０９２９２０号公報
【発明の概要】
【発明が解決しようとする課題】
【０００５】
ところで、上記ミストサウナや、これを行わない通常の浴室では、湯水の湯気や液滴、ミストが空間に多く存在し、これを放置し続ける場合には、浴室の壁面や天井にカビが繁殖する欠点がある。
【０００６】
本発明は、係る点に鑑みてなされたものであり、その目的は、殺菌水を生成する水処理装置を利用して、必要に応じて浴室の壁面や天井を殺菌し、浄化することにある。
【課題を解決するための手段】
【０００７】
上記目的を達成するため、第１の発明の浴室殺菌装置は、殺菌水を生成する殺菌水生成手段（10）と、浴室（55）の浄化の要求時に、上記殺菌水生成手段（10）で生成した殺菌水を上記浴室（55）に供給する殺菌水供給手段（98）とを備えたことを特徴とする。
【０００８】
上記第１の発明では、浴室の浄化の要求時には、殺菌水が浴室に供給されるので、浴室が良好に浄化され、殺菌される。
【０００９】
第２の発明は、上記浴室殺菌装置において、上記殺菌水生成手段（10）は、水槽（11）内に配置された一対の電極（31,32）と、上記一対の電極（31,32）間に電圧を印可する電源（33）と、上記一対の電極（31,32）間に配置され、上記一対の電極（31,32）間の電流経路を構成して放電を生起させる貫通孔（35）を有する絶縁性の仕切板（15）とを備え、上記貫通孔（35）における放電によって殺菌因子を発生させて、上記水槽（11）内に殺菌水を生成することを特徴とする。
【００１０】
上記第２の発明では、殺菌水生成手段では、仕切板の貫通孔で水中放電が発生するので、水槽内に殺菌因子を含んだ殺菌水が生成される。
【００１１】
第３の発明は、上記浴室殺菌装置において、上記浴室（55）に水をミスト状にして噴射する噴射手段（60a）と、水を上記噴射手段（60a）に供給する水供給手段（60）とを備え、上記殺菌水供給手段（98）は、上記水供給手段（60）から噴射手段（60a）への水の供給経路を遮断して、上記殺菌水生成手段（10）で生成した殺菌水を上記噴射手段（60a）から上記浴室（55）に供給すると共に、該殺菌水供給手段（98）から噴射手段（60a）への殺菌水の供給経路（89）に配置された絶縁性の開閉手段（102）を有することを特徴とする。
【００１２】
上記第３の発明では、通常時ではミスト状の温水が浴室に噴射されて、入浴者に発汗作用を促すなどのミストサウナが行われる。一方、浴室の浄化の要求時には、開閉手段が開状態となって殺菌水の供給経路が形成されて、殺菌水が浴室に供給されるので、浴室の壁面や天井が浄化、殺菌される。ここで、開閉手段は絶縁性を有するので、殺菌水生成手段での殺菌水の生成に際して一対の電極間に印可される電圧によって水中に流れる電流がこの絶縁性の開閉手段で遮断されて、噴射手段側への殺菌水の供給経路に漏れ流れることが防止され、投入した電力が効率良く使用される。
【発明の効果】
【００１３】
以上説明したように、第１の発明によれば、殺菌水を浴室に供給して、浴室を良好に殺菌、浄化することが可能である。
【００１４】
また、第２の発明によれば、水中放電によって殺菌性の高い殺菌水を得ることができる。
【００１５】
更に、第３の発明によれば、殺菌水の生成に際して水中に流れる電気が殺菌水の供給経路に漏れ流れることを防止して、投入電力を効率良く使用できる。
【図面の簡単な説明】
【００１６】
【図１】図１は実施形態１に係る浴室殺菌装置を含むミストサウナ噴霧システムの全体概略構成図である。
【図２】図２は殺菌水生成装置周りの水配管系統を示す図である。
【図３】図３は殺菌水生成装置の全体構成図である。
【図４】図４は放電ユニットを示す概略断面図である。
【図５】図５は高電圧発生部で発生させる電圧波形を示す図である。
【図６】図６は放電ユニットの放電孔周りを拡大して示す図である。
【図７】図７は実施形態２に係る殺菌水生成装置周りの水配管系統を示す図である。
【発明を実施するための形態】
【００１７】
以下、本発明の実施形態を図面に基づいて説明する。
【００１８】
（実施形態１）
図１は本実施形態１の浴室殺菌装置を含むミストサウナ噴霧システムの全体概略構成を示す。
【００１９】
同図のミストサウナ噴霧システムでは、浴槽（50）が配置された浴室（55）の上壁面にミストノズル（60a）付きの浴室暖房乾燥機（60）が配置される。また、上記浴室（55）の外方には、上記浴槽（50）や浴室暖房乾燥機（60）に温水を供給する熱源機（70）が配置される。更に、上記浴室（55）の天井裏には、図２に示すように、本実施形態の殺菌水生成装置（10）が配置される。
【００２０】
図1に示したように、上記熱源機（70）には、給水管（81）と、ガス管（82）と、給湯管（83）とが接続されており、ガス管（82）から供給されるガスを熱源機（70）内で燃焼させて、給水管（81）から供給された水を加熱して温水を生成する構成である。この温水は給湯管（83）を経て上記浴槽（50）に供給可能である。
【００２１】
上記ミスト付き浴室暖房乾燥機（60）と熱源機（70）とは、保護管（90）内に収容された２本の暖房用給湯管（91）,（92）とで接続されており、熱源機（70）で生成した温水を浴室暖房乾燥機（60）に循環させて、その温水によって暖められた空気を浴室（55）に吹き出して、浴室（55）を暖房又は乾燥する構成である。
【００２２】
更に、上記ミスト付き浴室暖房乾燥機（60）には、上記熱源機（70）に接続された給水管（81）から分岐する分岐給水管（84）が接続されている。浴室暖房乾燥機（60）は、上記分岐給水管（84）から供給される水を、内蔵する熱交換器（図示せず）で加熱し、温水としてミストノズル（60a）に送出して、ミストノズル（60a）でミスト状にして浴室（55）に噴射供給し、入浴者に発汗作用を促すなどのミストサウナとする構成である。上記ミスト付き浴室暖房乾燥機（60）は、本発明の水供給手段を構成する。また、上記ミストノズル（60a）は本発明の噴射手段を構成する。
【００２３】
尚、浴室暖房乾燥機（60）で剰余の温水は排水管（45）を経て浴槽（50）の下部近傍に開口する排水口（46）から浴室（55）の下部に排出される。尚、図１中、浴室暖房乾燥機（60）には、天井裏に配置した電源線（95）が接続され、この接続点から分岐する電源線（96）が上記保護管（90）内に収容されて、浴室外の熱源機（70）に接続されている。
【００２４】
上記浴室暖房乾燥機（60）に接続された分岐給水管（84）は、図２に示したように、３分岐管（85）及び給水管（86）を介して上記殺菌水生成装置（10）に接続される。この殺菌水生成装置（殺菌水生成手段）（10）は、上記給水管（86）から供給される水に殺菌成分を与えて、殺菌成分を含む水（殺菌水）を生成する。この殺菌水は、上記浴室暖房乾燥機（60）からミストノズル（60a）に温水を供給する水配管（87）に配置した三分岐管（88）を介してミストノズル（60a）からミスト状で浴室（55）に噴霧される。
【００２５】
上記浴室暖房乾燥機（60）から三分岐管（88）までの水配管（87）には、浴室暖房乾燥機（60）からミストノズル（60a）への温水量を調整する電動式の調整弁(100)が配置される。また、分岐給水管（84）から殺菌水生成装置（10）への給水管（86）には、殺菌水生成装置（10）への給水量を調整する電動式の調整弁(101)が配置される。
【００２６】
更に、殺菌水生成装置（10）は、水を貯留する水槽としての処理槽（11）を有し、この処理槽（11）に貯留された水中で殺菌因子を発生させて、殺菌因子を含む水（殺菌水）を生成する。この処理槽（11）は、上面が天板（11a）で閉じられた密閉型となっている。この処理槽（11）内で生成された殺菌水は、殺菌水供給通路（殺菌水供給手段）（98）を介して上記ミストノズル（60a）に供給される。この殺菌水供給通路（98）には、上記三分岐管（88）までの水配管（89）、この水配管（89）に配置された電動式の調整弁(102)、及び上記三分岐管（88）からミストノズル（60a）までの水配管（99）が配置される。上記水配管（89）は、殺菌水生成装置（10）の後述する４つのレーン（21a,21b,22a,22b）別に設けた分岐管（89a）（後述する図３参照）と、この４本の分岐管（89a）を１本に集合する集合管（89b）とから成り、上記４本の分岐管（89a）に各々上記電動式の調整弁(102)が配置される。そして、これらの調整弁(102)は、殺菌水生成装置（10）からミストノズル（60a）への殺菌水の供給量を調整する。そして、これらの調整弁(102)は、電気絶縁性に優れた例えばポリエチレン樹脂やフェノール樹脂などの樹脂により構成される。従って、この調整弁(102)は、本発明の絶縁性の開閉手段を構成する。
【００２７】
また、上記水配管（89）の集合管（89b）には逆止弁（105）が配置される。この逆止弁（105）は、浴室暖房乾燥機（60）からの水が水配管（87）から三分岐管(88)を経て殺菌水生成装置（10）に流入するのを阻止するものである。この逆止弁（105）は水配管（89）の１本の集合管（89b）に配置されているので、４本の分岐管（89a）に配置される場合に比して構成が簡易且つ低価格で済む。
【００２８】
―殺菌水生成装置（10）の構成―
次に、上記殺菌水生成装置（10）の具体的構成を説明する。上記図２に示した殺菌水生成装置（10）は、詳細には図３及び図４に示す構造を有する。図３及び図４では、処理槽（11）の天板（11a）を外した模式的構成を示している。この図において、殺菌水生成装置（10）は、水配管（86）から処理槽（11）内に流入させた水中で殺菌因子を発生させて、殺菌水を生成する。
【００２９】
上記殺菌水生成装置（10）は、噴霧装置（40）を介して水配管（86）に連通している。この殺菌水生成装置（10）は、水を貯留する処理槽（11）と、複数の放電ユニット（30a,30b）を備えている。殺菌水生成装置（10）は、水配管（86）から流入させた水を噴霧装置（40）から処理槽（11）に供給し、該処理槽（11）の水中において放電ユニット（30a,30b）で殺菌因子を発生させて、殺菌水を生成する。
【００３０】
上記処理槽（11）は、平面視で略長方形状に形成され、箱体状の水槽である。具体的には、処理槽（11）は、平面視で略長方形の平板に形成された底部（12）と、横長の略長方形の平板に形成され、且つ底部（12）の両長辺からそれぞれ上方に延びる長壁部（13,13）と、縦長の略長方形状の平板に形成され、且つ底部（12）の両短辺からそれぞれ上方に延びる短壁部（14a,14b）とで形成されている。
【００３１】
上記処理槽（11）の内部には、その幅方向に所定間隔を置いて複数の仕切板（15）が配置されている。各仕切板（15）は、横長の略長方形状の平板に形成され、処理槽（11）の長手方向に沿って配置されて該処理槽（11）の内部を複数のレーン（21a〜22b）に仕切っている。各仕切板（15）は、電気絶縁性を有する材料で形成されている。また、後述する第１流路（21）及び第２流路（22）に配置される仕切板（15,15）には、開口部（16）が形成されている。上記処理槽（11）には、各仕切板（15）によって、図３における手前側から順に第１〜第４レーン（21a〜22b）が形成されている。尚、処理槽（11）に形成されるレーン（21a〜22b）の数は、例示であり、殺菌水生成装置（10）が生成する殺菌水の水量に応じて自由に変更することができる。
【００３２】
また、各レーン（21a〜22b）は、第１及び第２レーン（21a,21b）が一対となって第１流路（21）を形成し、第３及び第４レーン（22a,22b）が一対となって第２流路（22）を形成している。
【００３３】
図４に示すように、上記複数の放電ユニット（30a,30b）は、第１放電ユニット（30a）と第２放電ユニット（30b）とで構成されている。各放電ユニット（30a,30b）は、上述した一対のレーン（21a,21b,22a,22b）ごとに一つずつ設けられる。
【００３４】
上記第１放電ユニット（30a）は、第１流路（21）の水中において殺菌因子を発生させて殺菌水を生成するものである。第１放電ユニット（30a）は、電極対（31,32）と、この電極対（31,32）に接続され、該電極対（31,32）に所定の電圧を印加する高電圧発生部（33）と、上述した開口部（16）が形成された仕切板（15）とを備えている。仕切板（15）には、放電部材（34）が設けられている。尚、第２放電ユニット（30b）は、第２流路（22）の水中において殺菌因子を発生させて殺菌水を生成するものである。第２放電ユニット（30b）の具体的な構成は、上記第１放電ユニット（30a）と同様であるため、説明は省略する。
【００３５】
上記電極対（31,32）は、水中で放電を生起するためのものであり、ホット側の電極（31）とニュートラル側の電極（32）とで構成されている。電極（31）は、扁平な板状に形成され、第１レーン（21a）に配置されている。電極（31）は、高電圧発生部（33）に接続されている。上記電極（32）は、扁平な板状に形成され、第２レーン（21b）に配置されている。電極（32）は、高電圧発生部（33）に接続されている。また、電極（31）と電極（32）とは互いに略平行となるように配設されている。尚、これらの電極（31,32）は、例えば耐腐食性の高い金属材料で構成される。
【００３６】
上記高電圧発生部（33）は、電極対（31,32）に所定の電圧を印加する電源で構成されている。本実施形態では、高電圧発生部（33）は、例示として、図５に示すように、電極対（31,32）に対して、正負が入れ替わる交番波形のパルス電圧を印加するように構成されている。この交番形波（方形波）のＤｕｔｙは、正極側と負極側の割合が等しくなるように調節されている。尚、電極対（31,32）に印加される電圧は、例示であって、交番型の電圧であれば、方形波に限らず、正弦波などでもよい。
【００３７】
上記放電部材（34）は、板状の絶縁部材である。放電部材（34）は、例えばセラミックス等の電気絶縁材料で構成されている。尚、セラミックスは、窒化アルミニウム、窒化ケイ素、ジルコニア又はアルミナである。放電部材（34）は、第１レーン（21a）と第２レーン（21b）とを仕切る仕切板（15）に形成された開口部（16）を塞ぐように配置されている。放電部材（34）には、その略中央の位置にて、その放電部材（34）の厚さ方向に貫通する貫通孔としての微小な放電孔（35）が形成されている。この放電孔（35）は、例えば、電気抵抗が数ＭΩとなるように設計されている。この放電孔（35）は、電極（31）と電極（32）との間の電流経路を構成している。以上のような放電孔（35）は、電極対（31,32）の間の電流経路の電流密度を上昇させる電流密度集中部となる。図６に示すように、電極（31）及び電極（32）に電圧が付与されると、放電部材（34）の放電孔（35）内では、電流経路の電流密度が上昇することで、水がジュール熱によって気化して気泡（Ｃ）が形成される。そして、気泡（Ｃ）内では、気泡（Ｃ）と水との界面が電極となって放電（スパーク放電）が発生する。すなわち、この放電では、上記電極（31）及び電極（32）が放電電極とならないため、放電によって電極（31,32）が劣化するのを抑制できる。
【００３８】
上記噴霧装置（40）は、水配管（86）に接続され、該水配管（86）から流入させた水を噴霧して処理槽（11）に供給するものである。噴霧装置（40）は、ノズルヘッダ（41）と、各レーン（21a〜22b）に対応した複数の噴霧ノズル（42）とを備えている。
【００３９】
上記ノズルヘッダ（41）は、細長い管状に形成され、水配管（86）に対して直交するように設けられ、側面に水配管（86）が接続され、水配管（86）から流入する水を各噴霧ノズル（42）に分けるように設けられている。
【００４０】
上記噴霧ノズル（42）は、ノズルヘッダ（41）の長手方向に所定の間隔を置いて複数個設けられている。噴霧ノズル（42）は、各レーン（21a〜22b）に対応して設けられている。水配管（86）を流れる水は、流入部（86a）からノズルヘッダ（41）に流入し、噴霧ノズル（42）から粒状（液滴）となって対応するレーン（21a〜22b）に向かって噴霧される。このとき、噴霧ノズル（42）から噴霧された水が粒状（液滴）となることで各粒間（各液滴間）に空気が介在して電気抵抗が高くなる。こうすることで、水配管（86）の流入部（86a）から流入する水と、処理槽（11）を流れる水とが電気的に絶縁されることになる。尚、噴霧ノズル（42）によって噴霧させることによって、水配管（86）の流入部（86a）の水と、処理槽（11）の水との間の電気抵抗は、数百ＭΩ以上となる。
【００４１】
―運転動作―
浴室(55)でのミストサウナ時には、浴室暖房乾燥機（60）が動作を開始して、分岐給水管（84）から供給される水が加熱されると共に、調整弁(102)が閉制御され、他の調整弁(100)が開制御される。これにより、殺菌水生成装置（10）からの殺菌水の供給が遮断されると共に、浴室暖房乾燥機（60）からの温水の供給が許容されて、ミストノズル（60a）から温水がミスト状に浴室(55)に噴霧供給されて、ミスト状の温水が浴室(55)の全体に広がる。
【００４２】
殺菌水生成装置（10）は、予め、浴室暖房乾燥機（60）の停止時や、上記浴室(55)でのミストサウナ時において、予め、調整弁(101)が開制御されて、給水管（86）を経て噴霧装置（40）から水が処理槽（11）に供給されると共に、高電圧発生部（33）の交番型のパルス電圧が一対の電極（31,32）に印加される。また、殺菌水の供給経路となる水配管（89）に配置された調整弁(102)は閉制御される。これにより、処理槽（11）内では、放電部材（34）の放電孔（35）でスパーク放電が生起されて、水中に水酸ラジカル等の殺菌因子が発生して、殺菌水が生成されて作り置きされる。
【００４３】
そして、浴室(55)の浄化が要求された際には、調整弁(100)と共に他の調整弁(102)が開制御される。これにより、浴室暖房乾燥機（60）からミストノズル（60a）への温水の供給と共に、殺菌水生成装置（10）の処理槽(11)内の殺菌水が三分岐管（88）及び水配管（99）を経てミストノズル（60a）からミスト状に噴霧供給される。その結果、ミスト状の殺菌水が浴室(55)の全体に広がり、浴室(55)の壁面や天井がそれ等の殺菌水で殺菌され、浄化されることになる。
【００４４】
−実施形態の効果−
本実施形態では、浴室(55)の浄化の要求時には、殺菌水生成装置（10）で生成された殺菌水が浴室(55)の天井に配置したミストノズル（60a）から浴室(55)にミスト状に噴霧供給されて、その浴室(55)の全体に広がる。従って、浴室(55)の壁面や天井全体を必要に応じて良好に殺菌、浄化することが可能である。
【００４５】
特に、殺菌水生成装置（10）では、処理槽(11)中の貯留水にスパーク放電によって水酸ラジカル等の活性種である殺菌因子を発生させるので、この殺菌因子を含む殺菌水を浴室(55)に噴霧供給して、浴室(55)の壁面や天井全体を効果的に殺菌することができる。
【００４６】
また、殺菌水生成装置（10）では、殺菌水の供給経路となる水配管（89）に対し、樹脂で構成された絶縁性を有する調整弁(102)が配置されているので、処理槽（11）での殺菌水の生成時には、放電エネルギーが三分岐管（88）から水配管（99）を経てミストノズル（60a）側に漏れたり、水配管（87）、（84）を経て熱源器（70）等に漏れることがない。従って、処理槽（11）内の放電部材（34）の貫通孔（35）でスパーク放電を確実に生起させることができる。
【００４７】
また、処理槽（11）内への水の供給も、噴霧装置（40）の各噴霧ノズル（42）から水を粒状（液滴）にして各レーン（21a〜22b）に供給して行われるので、各粒間の電気抵抗を高めて、水配管（84）からの水と処理槽（11）の水との間を絶縁できて、処理槽（11）内のスパーク放電を確実に生起させることができる。
【００４８】
尚、本実施形態では、殺菌水生成装置（10）は、浴室暖房乾燥機（60）の停止時等において動作して、処理槽（11）内に殺菌水を作り置きしたが、その他、浴室(55)の浄化の要求時に同時に動作して、殺菌水を生成しつつ、ミストノズル（60a）から浴室(55)に噴霧供給するようにしても良いのは、勿論である。
【００４９】
（実施形態２）
図７は、本発明の実施形態２の殺菌水生成装置周りの水配管系統を示す。
【００５０】
本実施形態では、上記図２の三分岐管（88）の位置にエジェクタ（97）が配置される。そして、このエジェクター（97）には、殺菌水供給通路（98）が直接に接続されている。
【００５１】
従って、本実施形態では、殺菌水生成装置（10）の処理槽(11)内で生成された殺菌水がエジェクター(97)で生じる負圧により吸引されて、水配管（99）を経てミストノズル（60a）からミスト状に噴霧供給される。その結果、ミスト状の殺菌水が浴室(55)の全体に勢い良く広がり、浴室(55)の壁面や天井がそれ等の殺菌水で確実に殺菌され、浄化されることになる。
【００５２】
（その他の実施形態）
上記実施形態では、殺菌水生成装置（10）として、処理槽（11）内で放電部材（34）の放電孔（35）内でスパーク放電を生起させることで、水酸ラジカル等の活性種である殺菌因子を発生させて、殺菌水を生成したが、本発明はこれに限定されず、その他の殺菌水生成装置を用いても良いのは、勿論である。
【産業上の利用可能性】
【００５３】
以上説明したように、本発明は、殺菌水を浴室に供給する浴室殺菌装置として、有用である。
【符号の説明】
【００５４】
１０          浴室殺菌装置（殺菌水生成手段）
１１          処理槽（水槽）
１５          仕切板
３１、３２    電極
３３          高電圧発生部（電源）
３５          放電孔（貫通孔）
５５          浴室
６０          浴室暖房乾燥機（水供給手段）
６０ａ        ミストノズル（噴射手段）
９８          殺菌水供給通路（殺菌水供給手段）
１０２        調整弁（開閉手段）
【図１】
2015188633.tif 000003
【図２】
2015188633.tif 000004
【図３】
2015188633.tif 000005
【図４】
2015188633.tif 000006
【図５】
2015188633.tif 000007
【図６】
2015188633.tif 000008
【図７】
2015188633.tif 000009